【事件の表示】
　特願２０００−３５３２９５「空気調和機」拒絶査定不服審判事件〔平成１４年　６月　７日出願公開、特開２００２−１６２０６４〕について、次のとおり審決する。
【結　論】
　本件審判の請求は、成り立たない。
【理　由】
１．　手続の経緯
　本願は、平成１２年１１月２０日の出願であって、原審における平成１５年１１月１８日付けの拒絶理由通知書に記載した理由により平成１６年２月２６日付けで拒絶査定されたが、平成１６年４月１日に拒絶査定に対する審判が請求され、同年４月２１日付けで特許請求の範囲を対象とする手続補正書が提出された。
　
２．　補正の却下の決定
　
［補正却下の決定の結論］
　平成１６年４月２１日付けの手続補正を却下する。
　
［理　由］
　
（１）補正後の特許請求の範囲請求項１に係る発明　　
　平成１６年４月２１日付けの手続補正（以下「本件補正」という。）は、補正前の請求項１に係る発明について、発明を特定するために必要な事項を限定して新たな請求項１とする補正を含むものであるから、特許請求の範囲についてのこの補正は、特許請求の範囲の減縮を目的とする補正であると認められるが、この補正後の特許請求の範囲の請求項１に係る発明（以下、「本願補正発明」という。）は、本件補正に係る特許請求の範囲の請求項１に記載されたとおりの次のものである。
「天井裏設置型、天袋設置型、及び地袋設置型の設置形態を選択可能な室内機（２）を備える空気調和機であって、
　前記室内機（２）は、
　室外機内に設置される圧縮機（２１）、室外熱交換器（２４）などと接続されて冷媒回路を構成する室内熱交換器（１１）と、
　前記室内熱交換器（１１）内部を通過する冷媒との間で熱交換する空気流を生成する室内ファン（１２）と、
　前記室内ファン（１２）を駆動するための室内ファンモータ（１３）と、
　少なくとも前記室内ファン（１２）と室内ファンモータ（１３）を収納するとともに、室内空気を吸い込んで前記室内熱交換器（１１）を介して室内に調整空気を送風する空気流路を構成する本体シャーシ（９０）と、
　各部の制御を行う制御回路を搭載するプリント基板（７２）を含む回路部品を収納し、前記本体シャーシ（９０）の外面側であって前記室内機（２）を設置形態に応じて用意される複数の取付位置（９２，１０１，１１５）に取付可能な電装品箱（７１）とを備え、　前記電装品箱（７１）は、前記室内機（２）を天井裏設置型の設置形態で設置する場合に前記本体シャーシ（９０）の側面側に取付可能であり、前記室内機（２）を天袋設置型又は地袋設置型の設置形態で設置する場合に前記本体シャーシ（９０）の上面側又は底面側に取付可能であることを特徴とする空気調和機。
　
（２）引用例に記載された事項
　原審における平成１５年１１月１８日付けの拒絶理由通知書の中で引用した本願出願前に頒布された刊行物である特開平４−３２６２８号公報（以下、「引用例１」という。）及び実願平２−４０２６３７号（実開平４−９５２１８号）のマイクロフィルム（以下、「引用例２」という。）には、それぞれ図面と共に次の記載がある。
（２−１）　　引用例１について
　ア．「上面および背面よりなるキャビネットと，左右両側板および底面板とより成る筺体と，この筺体を仕切板により熱交換器室および送風機室に区画形成し，それぞれ熱交換器および送風機を配設し，かつ前面に吹出口を設け，この吹出口に吹出ダクトを備え，天井裏又は壁面等に配設してなる埋込形空気調和機において，上記筺体の上面，下面および背面に設けた吸込口と，この上面吸込口および下面吸込口を空間を維持させ覆うようにして着脱可能な吸込ダクトと，上記上面吸込口，下面吸込口および背面吸込口を閉塞可能に設けたメクラ板と，上記筺体の前面及び背面に着脱可能なダクト接続用の吹出部材及び吸込部材とを，上記筺体の埋込据付状態に応じて，上面，下面及び背面の吸込口に適宜着脱可能にしたことを特徴とする埋込形空気調和機。」（特許請求の範囲第１項）
　
　イ．「この発明は埋込形空気調和機に係り，特に据付形態の多様化に対応させる構造に関するものである。」（２頁左上欄１９行〜右上欄１行）
　
　ウ．「〔従来の技術〕・・・・・さらに，第１９図に示すように天袋えの設置の場合，風路形成は，天袋２２に設置された吸込グリル２０を介し，本体１背面側の吸込口２９より室内空気を取入れ送風機室７，熱交換器室３，吹出ダクト１６を介して天袋２２に設置した吹出グリル２１から吹出すようにしていた。
〔発明が解決しようとする課題〕
　従来の埋込形空気調和機は以上のように構成されているので、一間幅への据付は可能であるが、三尺間幅に対しては据付不可能であり、・・・等の問題点があった。・・・・
　この発明の埋込形空気調和機は上記のような問題点を解消するためになされたもので、一間幅及び三尺幅への据付けを可能とし、かつ天井内への埋込据付けも可能とすると共に、正確な温度検知を可能にした据付け多様化を図った埋込形空気調和機を得ることを目的とする。」（２頁左下欄１３行〜右下欄１７行）
　
　エ．「まず、第１実施例の発明について説明する。第１図はこの発明の一実施例である埋込形空気調和機の・・・，・・・，第７図は・・・側断面図であり，図において２７，２８，２９は筺体１３の上面８，下面３１および背面９に設けた上面吸込口，下面吸込口および背面吸込口，３０は送風機室７に配設された送風装置で，・・・ファンモータ７と，・・・上記ファンモータ７により駆動されるファン３５とより構成されている。・・・４６は熱交換器３に付けられ，かつ，吹出方向に向って曲げ形成されたパイプ４６のパイプ固定具，４７は三尺間，４８は地袋，４９は押入れである。」（３頁右下欄１行〜４頁左上欄１４行）
　
　オ．「次にこの第１実施例の発明の据付け動作を説明する。まず三尺間４７の天袋２２設置の場合の据付けは，上面８と背面９とから成るキャビネット１０の上面８に設けた上面吸込口２７を覆うようにして吸込ダクト３６をフランジ部３９を合わせ，この時，吸込ダクト３６の開口は本体１前面へ向けて装着する。
　次に、上記本体１の前面に吹き出しダクト１６を取付け，上記本体１の下面３１にはメクラ板４０を、背面９にもメクラ板４０を装着し，本体１の準備を完了する。
　その後、天袋２２正面を開口させ，・・・，開口より空気調和機本体１を挿入し，天袋２２内の天井材１８の直下置きし，吹出及び吸込み兼用のグリル２０を装着し据付を完了させる。
　次に，三尺間４７の地袋設置の場合には，上記空気調和機本体１の下面３１を覆うようにして吸込ダクト３６を取り付け，上記吹出ダクト３６を上記天袋２２設置とは天地逆にして，上記本体１の前面側に装着し、上面吸込み口２７には上記メクラ板４０を取付け，本体１の背面側には背面メクラ板４０ａを取付け，本体１囲りの準備を完了し、地袋４８正面を開口させ，・・・，いずれかの開口より空気調和機本体１を挿入して地袋４８床面に直下置きし，地袋４８正面より，上記グリル２６を装着し，据付を完了する。
　次に、天井埋込設置の場合は，上記吸込ダクト３６及び吹出ダクト２１を取り外し，上記本体１の前面にダクト２６接続用フランジ４５を有する吹出部材４１を、背面には吸込部材４２をそれぞれ装着する。
　そして，上面吸込口２７及び下面吸込口２８には，それぞれメクラ板４０を装着し，さらに筺体１３の周囲に複数のアンカーボルト２５を介して天井内２３に設置するとともに，上記吹出部材４１及び吸込部材４２のフランジ４５にダクト２６を接続して据付を完了する。」（４頁左上欄１５行〜左下欄１５行）
　
（２−２）　引用例２について
　空気調和機の天井裏設置型室内機のケーシング１の側面板の外面側に電気品箱６１を取付けて容易に点検できるようにしたこと（【請求項１】〜【請求項３】、段落【００１７】、【００４１】及び図４参照）。
　
（３）　引用例１の発明
　ところで、前記の記載事項ア、エ、オ及び第１〜７図から、以下の事項が認められる。
　
　カ．記載事項ア、オ及び第１、４、５、７図から、埋込形空気調和機は天井裏設置型、天袋設置型及び地袋設置型の設置形態を選択可能な室内機であること。
　
　キ．記載事項エ、第１、４、５、７図及び技術常識から、埋込形空気調和機に備えられた熱交換器３は室外機内に設置される圧縮機、室外熱交換器などと接続されて冷媒回路を構成する室内熱交換器であり、同じくファン３５は熱交換器３内部を通過する冷媒との間で熱交換する空気流を生成する室内ファンであり、同じく本体１ないし筺体１３は少なくとも前記ファン３５とファンモータ７を収納するとともに、室内空気を吸い込んで前記熱交換器３を介して室内に調整空気を送風する空気流路を構成すること。
　
　以上の事項を総合すると引用例１には次の発明クが記載されていると認められる。
「天井裏設置型、天袋設置型、及び地袋設置型の設置形態を選択可能な埋込形空気調和機を備える空気調和機であって、
　前記埋込形空気調和機は、
　室外機内に設置される圧縮機、室外熱交換器などと接続されて冷媒回路を構成する熱交換器３と、
　前記熱交換器３内部を通過する冷媒との間で熱交換する空気流を生成するファン３５と、
　前記ファン３５を駆動するためのファンモータ７と、
　少なくとも前記ファン３５とファンモータ７を収納するとともに、室内空気を吸い込んで前記熱交換器３を介して室内に調整空気を送風する空気流路を構成する本体１ないし筺体１３と、を備えた空気調和機。」（以下「引用例１の発明」という。）
　
（４）　対比・一致点・相違点
　本願補正発明と引用例１の発明を対比すると、引用例１の発明の「埋込形空気調和機」、「熱交換器３」、「ファン３５」、「ファンモータ７」及び「本体１ないし筺体１３」は、それぞれ本願補正発明の「室内機（２）」、「室内熱交換器（１１）」、「室内ファン（１２）」、「室内ファンモータ（１３）」及び「本体シャーシ（９０）」に相当するから、両発明は、下記の一致点で一致し、相違点で相違する。
〈一致点〉
「天井裏設置型、天袋設置型、及び地袋設置型の設置形態を選択可能な室内機を備える空気調和機であって、
　前記室内機は、
　室外機内に設置される圧縮機、室外熱交換器などと接続されて冷媒回路を構成する室内熱交換器と、
　前記室内熱交換器内部を通過する冷媒との間で熱交換する空気流を生成する室内ファンと、
　前記室内ファンを駆動するための室内ファンモータと、
　少なくとも前記室内ファンと室内ファンモータを収納するとともに、室内空気を吸い込んで前記室内熱交換器を介して室内に調整空気を送風する空気流路を構成する本体シャーシと、を備えた空気調和機。」
〈相違点〉
　本願補正発明は、前記室内機が「各部の制御を行う制御回路を搭載するプリント基板を含む回路部品を収納し、前記本体シャーシの外面側であって前記室内機を設置形態に応じて用意される複数の取付位置に取付可能な電装品箱を備え、前記電装品箱は、前記室内機を天井裏設置型の設置形態で設置する場合に前記本体シャーシの側面側に取付可能であり、前記室内機を天袋設置型又は地袋設置型の設置形態で設置する場合に前記本体シャーシの上面側又は底面側に取付可能である」ものであるのに対し、引用例１の発明はかかる構成を具備しない点。
　
（５）相違点の検討
　上記の相違点について検討すると、先ず、本願補正発明は、ビルトインタイプの空気調和機では、設置形態により室内機の形状や大きさに制約があり、特に、天袋設置型や地袋設置型の場合、横幅、高さ、奥行きのいずれに対しても住宅設備の規格に基づいて制限を受けることを問題点とし、各種設置形態の室内機における部品の共通化を図り、形状・寸法を各設置条件に対応させることを可能とすることを目的とするのに対して（本願明細書段落０００６、０００９参照）、引用例１の発明は、従来の埋込形空気調和機は一間幅への据付は可能であるが、三尺間幅に対しては据付不可能であったことを問題点として、一間幅及び三尺幅への据付けを可能とすることを目的とするものであって（記載事項ウ参照）、両発明は設置寸法の制限という面で課題に共通性があるところ、空気調和機において、各部の制御を行う制御回路を搭載するプリント基板を含む回路部品を収納した電装品箱を設けることは引例を挙げるまでもなく周知であり、かつ、空気調和機の埋込型の室内機において本体の外面側に電装品箱の取付け位置を設定して点検等の作業性を向上させることも周知（例えば、特開平１−２３０９３６号公報、実願平２−４０２６３７号（実開平４−９５２１８号）のマイクロフィルム（引用例２）、特開平５−２８８３５９号公報、特開平８−１２８６７０号公報参照）であり、更に引用例２には空気調和機の天井裏設置型の室内機のケーシング１の側面板の外面側に電気品箱６１を取付けて容易に点検できるようにしたことが記載されている。
　そうすると、引用例１の発明において上記の周知技術や引用例２に係る天井裏設置型における電気品箱の取付を適用し、幅寸法制限のある天袋設置型又は地袋設置型の設置形態で設置する場合に前記本体１ないし筺体１３の上面側又は底面側に取付可能として、相違点に係る本願補正発明の構成を採ることは、当業者が設計上容易になし得たことというべきである。
　そして、本願補正発明の効果は、引用例１及び２の各発明並びに周知技術から予測し得た程度のものであって、格別なものとは認められない。
　
（６）　むすび
　以上のとおりであるから、本願補正発明は、引用例１及び２の発明並びに周知技術に基づいて当業者が容易に発明をすることができたものであるから、特許法第２９条第２項の規定により、本願発明の出願の際独立して特許を受けることができないものである。
　したがって、本件補正は、特許法第１７条の２第５項において準用する同法第１２６条第４項に違反するので、同法第１５９条第１項において読み替えて準用する同法第５３条第１項の規定により却下されるべきものである。
　
３．　本願発明について
　
（１）　本願の請求項１ないし９に係る発明
　本件補正は前記のとおり却下されたので、本願の請求項１ないし９に係る発明は、平成１６年１月２６日付けの手続補正書により補正された明細書及び図面の記載からみて、それぞれ特許請求の範囲の請求項１ないし９に記載されたとおりの次のものである。
【請求項１】
　複数の設置形態を選択可能な室内機（２）を備える空気調和機であって、
　前記室内機（２）は、
　室外機内に設置される圧縮機（２１）、室外熱交換器（２４）などと接続されて冷媒回路を構成する室内熱交換器（１１）と、
　前記室内熱交換器（１１）内部を通過する冷媒との間で熱交換する空気流を生成する室内ファン（１２）と、
　前記室内ファン（１２）を駆動するための室内ファンモータ（１３）と、
　少なくとも前記室内ファン（１２）と室内ファンモータ（１３）を収納するとともに、室内空気を吸い込んで前記室内熱交換器（１１）を介して室内に調整空気を送風する空気流路を構成する本体シャーシ（９０）と、
　各部の制御を行う制御回路を搭載するプリント基板（７２）を含む回路部品を収納し、前記本体シャーシ（９０）の外面側であって前記室内機（２）を設置形態に応じて用意される複数の取付位置（９２，１０１，１１５）に取付可能な電装品箱（７１）とを備え、　前記電装品箱（７１）は、前記室内機（２）を天袋設置型又は地袋設置型の設置形態で設置する場合に前記本体シャーシ（９０）の上面側又は底面側に取付可能であることを特徴とする空気調和機。
【請求項２】
　前記本体シャーシ（９０）は、底面に設けられる第１吸込用開口（９１）と、前面に設けられる吹出用開口（５７）と、側面に設けられる第１電装品箱取付部（９２）とを備えている、請求項１に記載の空気調和機。
【請求項３】
　前記本体シャーシ（９０）の前面下部から前記第１吸込用開口（９１）に向けて空気流路を構成する下部吸込チャンバー（６２）が前記本体シャーシ（９０）の底面に取付可能であり、前記下部吸込チャンバー（６２）とともに前記電装品箱（７１）を前記本体シャーシ（９０）の底面に取り付けることが可能な第２電装品箱取付部（１０１）を備え、
　前記第２電装品箱取付部（１０１）は、前記下部吸込チャンバー（６２）の中空部に形成されている、
請求項２に記載の空気調和機。
【請求項４】
　前記本体シャーシ（９０）の上面に第２吸込用開口（１１３）が設けられ、前記本体シャーシ（９０）の前面上部から前記第２吸込用開口（１１３）に向けて空気流路を構成する上部吸込チャンバー（１１１）が、前記本体シャーシ（９０）の上面に取付可能であり、前記上部吸込チャンバー（１１１）とともに前記電装品箱（７１）を前記本体シャーシ（９０）の上面に取り付けることが可能な第３電装品箱取付部（１１５）を備え、
　前記第３電装品箱取付部（１１５）は、前記上部吸込チャンバー（１１１）の中空部に形成されている、
請求項２または３に記載の空気調和機。
【請求項５】
　前記本体シャーシ（９０）の背面に第３吸込用開口（１１４）がさらに設けられ、前記上部吸込チャンバー（１１１）は、前記本体シャーシ（９０）の前面上部から前記第２吸込用開口（１１３）および第３吸込用開口（１１４）に向けて空気流路を構成するように、前記本体シャーシ（９０）の上面から背面にかけて取付可能となっている、請求項４に記載の空気調和機。
【請求項６】
　前記第３吸込用開口（１１４）は、前記本体シャーシ（９０）の背面の一部を切り取ることにより構成される、請求項５に記載の空気調和機。
【請求項７】
　前記上部吸込チャンバー（１１１）を使用しない場合に前記第２吸込用開口（１１３）を閉塞するための天カバー（４０）と、前記上部吸込チャンバー（１１１）を使用する場合に前記第１吸込用開口（９１）を閉塞するための底カバー（４０，１１８）が用意されている、請求項４〜６のいずれかに記載の空気調和機。
【請求項８】
　前記天カバー（４０）と底カバー（４０）は同一部材を共用することを特徴とする、請求項７に記載の空気調和機。
【請求項９】
　前記電装品箱（７１）内に収納される回路部品と前記本体シャーシ（９０）内の各部とを電気的に接続するためのコネクタ（９５，１０４，１１７）が、前記電装品箱（７１）の各取付位置（９２，１０１，１１５）に対応して前記本体シャーシ（９０）の複数個所に設けられている、請求項１〜８のいずれかに記載の空気調和機。」
　
（２）　本願の請求項１に係る発明の容易想到性について
　本願の請求項１に係る発明は、本願補正発明の「天井裏設置型、天袋設置型、及び地袋設置型の設置形態」を「複数の設置形態」と、同じく「前記電装品箱（７１）は、前記室内機（２）を天井裏設置型の設置形態で設置する場合に前記本体シャーシ（９０）の側面側に取付可能であり、前記室内機（２）を天袋設置型又は地袋設置型の設置形態で設置する場合に前記本体シャーシ（９０）の上面側又は底面側に取付可能であること」を「前記電装品箱（７１）は、前記室内機（２）を天袋設置型又は地袋設置型の設置形態で設置する場合に前記本体シャーシ（９０）の上面側又は底面側に取付可能であること」とした以外は、同一のものである。
　そうすると、本願の請求項１に係る発明を限定して減縮した本願補正発明について、前記のとおり、その容易想到性が肯定される以上、本願の請求項１に係る発明は、本願補正発明についてと同じ引用例の発明に基づいて同様の理由により、その容易想到性が肯定されるというべきである。
　なお、引用例１（特開平４−３２６２８号公報）は、平成１５年１１月１８日付けの拒絶理由通知書中では引用文献４として挙げられているが出願時の請求項１に対しては引用されていない。しかし、その請求項１を引用した請求項３、４について引用されており、平成１６年１月２６日の手続補正書により補正された請求項１は、出願時の請求項１の構成に「前記電装品箱（７１）は、前記室内機（２）を天袋設置型又は地袋設置型の設置形態で設置する場合に前記本体シャーシ（９０）の上面側又は底面側に取付可能であること」を追加したものであるが、かかる構成は、出願時の請求項３に記載された構成の一部を加入したものであり、この補正後の請求項１を対象として拒絶理由通知書中の引用文献４（当審の引用例１）を含む文献から拒絶査定されたものと認められる。この経緯に照らせば、平成１６年１月２６日の手続補正書により補正された請求項１に対して引用例１は実質的に通知されていたと認められる。
　
（３）　まとめ
　したがって、本願の請求項１に係る発明は、特許法第２９条第２項の規定により特許を受けることができない。
　よって、本願の請求項２〜９に係る発明を判断するまでもなく、結論のとおり審決する。